(57)【要約】ライフスタイル推薦装置で推薦を作成する方法である。この方法は、ユーザの明確な及び／又は暗黙の指示に基づいてユーザプロファイルを発生するステップと、ユーザプロファイルに基づいてアイテム、サービス及び／又はイベントについての推薦を作成するステップと、エージェントを通してユーザへ推薦を報告するステップとを有し、好ましくは、エージェントは有名人である。他の実施例では、方法は、ユーザの明確な及び／又は暗黙の指示に基づいてユーザプロファイルを、有名人の有名人プロファイルで代用するステップと、有名人プロファイルに基づいてアイテム、サービス及び／又はイベントについての推薦を作成するステップと、ユーザへ推薦を報告するステップとを有する。
2004523977.tif 000002
【特許請求の範囲】
【請求項１】
ライフスタイル推薦装置で推薦を作成する方法であって、
ユーザの明確な及び／又は暗黙の指示に基づいてユーザプロファイルを発生するステップと、
ユーザプロファイルに基づいてアイテム、サービス及び／又はイベントについての推薦を作成するステップと、
エージェントを通してユーザへ推薦を報告するステップとを有する、方法。
【請求項２】
推薦はテレビジョン番組の推薦である、請求項１に記載の方法。
【請求項３】
エージェントは有名人である、請求項１に記載の方法。
【請求項４】
報告するステップは、エージェントのビデオを表示し、推薦を知らせる付随するオーディオを再生することを含む、請求項１に記載の方法。
【請求項５】
報告するステップは、エージェントの静止画像を表示することを含む、請求項１に記載の方法。
【請求項６】
報告するステップは、更に推薦を知らせるテキストメッセージを表示することを含む、請求項５に記載の方法。
【請求項７】
報告するステップは、更に推薦を知らせる付随するオーディオを再生することを含む、請求項５に記載の方法。
【請求項８】
更にユーザプロファイルを有名人の有名人プロファイルで代用するステップを含む、請求項３に記載の方法。
【請求項９】
代用するステップは、外部供給源から、有名人プロファイルをダウンロードすることを含む、請求項8に記載の方法。
【請求項１０】
ユーザの明確な及び／又は暗黙の指示に基づいてユーザプロファイルを発生する手段と、
ユーザプロファイルに基づいてアイテム、サービス及び／又はイベントについての推薦を作成する手段と、
エージェントを通してユーザへ推薦を報告する報告手段とを有する、ライフスタイル推薦装置。
【請求項１１】
ライフスタイル推薦装置は、テレビジョン番組記憶装置である、請求項１０に記載の装置。
【請求項１２】
エージェントは有名人である、請求項１０に記載の装置。
【請求項１３】
報告する手段は、エージェントのビデオを表示し、推薦を知らせる付随するオーディオを再生する手段を含む、請求項10に記載の装置。
【請求項１４】
報告する手段は、エージェントの静止画像を表示する手段を含む、請求項１０に記載の装置。
【請求項１５】
報告する手段は、更に、推薦を知らせるテキストメッセージを表示する手段を含む、請求項１４に記載の装置。
【請求項１６】
報告する手段は、更に、推薦を知らせる付随するオーディオを再生する手段を含む、請求項１４に記載の装置。
【請求項１７】
ライフスタイル推薦装置で推薦を作成するコンピュータプログラムプロダクトであって、
ユーザの明確な及び／又は暗黙の指示に基づいてユーザプロファイルを発生するコンピュータ読み出し可能なプログラムコード手段と、
ユーザプロファイルに基づいてアイテム、サービス及び／又はイベントについての推薦を作成することを発生するコンピュータ読み出し可能なプログラムコード手段と、
エージェントを通してユーザへ推薦を報告することを発生するコンピュータ読み出し可能なプログラムコード手段とを有する、コンピュータプログラムプロダクト。
【発明の詳細な説明】
【０００１】
発明の背景
１．発明の分野
本発明は、一般的には、ユーザプロファイルを使用する装置（以後”ライフスタイル推薦装置”と呼ぶ）に関連し、特に、ユーザのプロファイルを有名人のプロファイルと交換できる又は、有名人がユーザに、ライフスタイル推薦器の推薦を送ることができる、ユーザの記録及び視聴習慣を通してユーザプロファイルを学習するテレビジョン番組装置に関連する。
２．従来技術
通信技術の高速な成長は、幾つかの有名人の増加を導いた。同時にこの成長はコンテンツの増加一致する。通信する更なる方法は、更に多いコンテンツを導き、そして、更に多いコンテンツは更に多い有名人を意味する。更に多いコンテンツは、人が、見る又は聞くためのものを見つけるのを更に困難にする。その分野の技術は、個人化を通してこの問題と取り組む。ユーザプロファイルに基づいて、推薦されたコンテンツを見つけるテレビジョン番組装置の開発をしなければならず且つそれを継続する。
【０００２】
テレビジョン番組を推薦するだけではない、現在多くの装置は、個人プロファイルを使用する。例えば、ライフスタイル推薦装置も、音楽、映画及びファッションの領域で使用されうる。これらのライフスタイル推薦装置は、ユーザが環境を特別注文化することを可能とし又は、幾つかの場合には、この装置は、ユーザの振舞いを観測することにより、ユーザが好むものを学習することが可能である。1つのそのような製品は、ユーザの視聴又は記録習慣に基づいて、テレビジョン番組を学習しそして記録するのに使用される。ユーザの視聴及び記録習慣から、装置は、ユーザのプロファイルを学習し、それより装置が自動的に、ユーザが好むと考えるテレビジョン番組を記録及び／又は推薦する。
【０００３】
ライフスタイル推薦装置は、3つの方法でユーザのプロファイルを構築する。第1は、ユーザが好むものと好まないものを、ユーザが、明確に入力できる。第２に、ユーザは、テレビジョン映画のような特別イベント、アイテム又はコンテンツに関するフィードバックを入力できる。第3は、装置が、ユーザの観測されたふるまいに基づいて、ユーザのプロファイルを暗黙に構築できる。
【０００４】
典型的には、テレビジョン番組推薦装置の場合にはそうであるが、装置は、番組に関連する番号を有する特定のテレビジョン番組を推薦する。例えば、どのくらい特定のテレビジョン映画がユーザプロファイルに合うかに依存して、装置は、それを、ユーザの明確な及び／又は暗黙のふるまいに基づいて、その映画はユーザが好むであろうことを、ユーザに示す（可能な１０のうちの）８に割当てうる。
【０００５】
伝統的に、人はコンテンツを見つけるのを助けるために有名人に頼る。音楽、映画及び、ＴＶスターは、雑誌及び、最近のプロジェクトを促進するトークショーに現れる。人気のあるディスク及びビデオジョッキーは、それらの演奏する音楽を推薦する。有名な批評家は、映画、音楽及びＴＶショーを批評する。続く1週間のＴＶショーを記載する雑誌の、ＴＶガイドでさえ、カバーに現れる有名人を通して読者にそれ自身を売り込む。有名人はコンテンツであり、そして有名人はコンテンツを売る。
【０００６】
１９６１年の本の、イメージで、Ｄａｎｉｅｌ  Ｂｏｏｒｓｔｉｎは、有名人を、”有名さ”が有名な人と定義した。忘れられない、有名人であることの最も重要な面をとらえているので、この定義は、良く分かる。しかしながら、有名人を人に制限するので、それは足りない。代わりに、この開示のために、有名人は良く知られた性格でありそして実際の生活に加えて、作り事の及び人工の有名人も含みうる。
【０００７】
実際の有名人は、同じような人よりも更に同じような性格が現れる。トムクルーズとトムハンクスを例にする。これらの人気の有名人は、強いボックスオフィスドローを保証し、そして、成功は一貫した性格を送ることから来るので、高い給料を命令する。トムクルーズは典型的には、、”最高”である性格を演じる。彼は、最高のスパイであり、最高の戦闘機パイロットであり、又は、最高のバーテンダーである。トムハンクスは、異常な情況で出くわす”普通の者”である。彼は、人魚と恋に落ちる普通の者、奇跡を目撃する普通の看守であり、信じられない生活を導く低い知性の普通の者である。人がトムハンクス又はトムクルーズの映画に行こうと決めるときには、期待する性格が何かを知っている。
【０００８】
作り事の性格ジェームゾボンドもこのレベルで働く。彼は、自分を演じた俳優である。人がトムクルーズ映画に行こうと言うときには、ジェームズボンド映画に行こうというのと同じ価値を有する。
【０００９】
これらの例より、製品としての有名人を見るのは簡単であるが、しかし、物語の一部であるという事実は、更にそれらを望ましくする。ディズニーのライオンキングからの、英雄のアニメーションのライオンのシンバは、”性格”有名人の良い例を提供する。この映画は、フィルムとビデオリリース及び商品で数１０億ドルを生じた。人は、詰め物のライオンを持ちたいとは思わなかったが、しかしシンバは持ちたいと思った。かれらは、物語に参加したいと思いそして、それが有名人の性格を造り、そして、単に製品ではない。
【００１０】
最後に、例えば、トムレイダービデオゲームの主キャラクターの、ララクロフトのような、人工の有名人がいる。彼女は、マガジンのカバーに現れ得、彼女に没頭するウェブサイトを有し、そして、彼女のファンは彼女の冒険の人工のアカウントに書き込む。彼女は人ではないが、しかし有名なキャラクターであり、人工の有名人である。
【００１１】
従来技術のライフスタイル推薦装置は、ユーザに、ユーザプロファイルを、実際の、作り事の、人工の、有名人プロファイルのそれと置き換える代わりのものを提供しない。更に、従来技術のライフスタイル推薦装置は、通常はユーザの注意を引かない重み付けされた数の使用を通して、１つのアイテム、イベント又は、番組のみを推薦する。従来技術を見ると、従来技術のこれらのそして他の問題を解決する、ライフスタイル推薦装置が必要である。要約すると、我々の社会の有名人の重要性を利用するライフスタイル推薦装置の技術が必要である。
【００１２】
発明の概要
従って、本発明の目的は、従来技術の問題と取り組む動作のための、ライフスタイル推薦装置及び方法を提供することである。
【００１３】
人々は、関係のための人間の必要を達成するので、有名人を作る。これらは、安全な、一方向の、関係であり、人は、落とされるおそれなしに、有名人を選択し且つ落とすことができる。有名人は、多くの形式の関係についてのしかし、ライフスタイル推薦装置に関して、機会提供する。識別と共通の経験を考えることが重要である。
【００１４】
人は、有名人と結びつけた関係を構成する。彼らは、有名人が上がるにつれて上がるという望みと共に、彼らの本体をスターの本体に付ける。この現象は、ロック音楽ファンで簡単に見ることができる。ファンはそれらを掘り当てる前に、バンドにリンクしていると識別されることを望む。それらは、バンドの名声と共に”昇った”と識別されることができる方法である。また、応援しているチームが勝ったときに、彼らが勝ったと感じるスポーツファンが、見られる。
【００１５】
人々は、有名人が彼らに影響することを許すことにより、これらの関係を開始しそして成長させる。非常に多くの仕事が、情報の普及に基づいて有名人の影響の効果に関して医療コミュニティでなされた。人々は、有名人に基づいて行動するという明らかな証拠がある。マジックジョンソンとＨＩＶ情報に関する研究では、研究者は、人々は、専門家の助言よりも、有名人、マジックジョンソン、からの助言を受け入れることを好むことを、発見した。
【００１６】
有名人は、彼ら自身と人々との関係を形成するのを助けるだけでなく、有名人に従う人々の間の関係も形成する。有名人は、共通の経験を人々が互いに共有することを提供する。”隣人について後ろのフェンスごしに噂話をする代わりに、我々は、世界中で他の見知らぬ人（有名人）に関して見知らぬ人と今、噂話をしている”。世界が通信の選択で更に分割するにつれて、有名人は基準の共通点を提供する。
【００１７】
有名人との共通の経験は、人々が話しあうことを可能とする。例えば、人がトムクルーズがすきでパメラアンダーソンをきらいであるというときには、その有名人を知っている聴衆と彼ら自身について多くを話しあっている。彼らは、有名人が演じる性格により自分自身を定義している。
【００１８】
ジャーナリストは、彼女は正直であるがしかしポップバンドについてはあからさまなことであると考えること書いた。彼女は、多くの数の”嫌いなメール”を受信した。彼女は、人々が、真実を聞くよりもこのグループを守るのにさらに興味があるかを知らなかった。人々は、真に彼らを守っているので、彼らの関係を保護する方法を失った。
【００１９】
従って、ライフスタイル推薦装置で推薦を作成する方法の第1の実施例が提供される。この方法は、ユーザの明確な及び／又は暗黙の指示に基づいてユーザプロファイルを発生するステップと、ユーザプロファイルに基づいてアイテム、サービス及び／又はイベントについての推薦を作成するステップと、エージェントを通してユーザへ推薦を報告するステップとを有する。
【００２０】
好ましくは、推薦はテレビジョン番組の推薦であり、そして、エージェントは有名人である。更に好ましくは、報告するステップは、エージェントのビデオを表示し、推薦を知らせる付随するオーディオを再生することを含む。代わりに、報告するステップは、エージェントの静止画像を表示することを含み、そして、推薦を知らせるテキストメッセージを表示するか又は、推薦を知らせる付随するオーディオを再生することいずれかを含む。
【００２１】
また、ライフスタイル推薦装置の第１の実施例も提供される。この装置は、ユーザの明確な及び／又は暗黙の指示に基づいてユーザプロファイルを発生する手段と、  ユーザプロファイルに基づいてアイテム、サービス及び／又はイベントについての推薦を作成する手段と、エージェントを通してユーザへ推薦を報告する報告手段とを有する。好ましくは、ライフスタイル推薦装置はテレビジョン番組記憶装置でありそして、エージェントは有名人である。
【００２２】
更に、本発明の方法のステップを実行し且つ記憶するためのコンピュータプログラムプロダクト及び、同じものを記憶するプログラム記憶装置も提供される。
【００２３】
更に、ライフスタイル推薦装置内で推薦を作成する方法の第２の実施例も提供される。この方法は、ユーザの明確な及び／又は暗黙の指示に基づいてユーザプロファイルを、有名人の有名人プロファイルで代用するステップと、有名人プロファイルに基づいてアイテム、サービス及び／又はイベントについての推薦を作成するステップと、ユーザへ推薦を報告するステップとを有する。好ましくは、代用するステップは、外部供給源から、有名人プロファイルをダウンロードすることを含む。
【００２４】
更に好ましくは、報告するステップは、有名人のような、エージェントを通してユーザへ、推薦を報告することを含む。有名人は、好ましくは、有名人のビデオを表示しそして推薦を報告する付随するオーディオを再生することにより、推薦を報告する。代わりに、有名人は、有名人の静止画像を表示することにより又は、推薦を知らせるテキストメッセージを表示する又は、推薦を知らせる付随するオーディオを再生するかのいずれかで、報告できる。
【００２５】
本発明の装置及び方法の、これらの及び他の特徴、面、利点は、以下の説明、添付の請求項、添付の図面について、より理解されるであろう。
【００２６】
好ましい実施例の詳細な説明
本発明は、多くのそして種々の形式のライフスタイル推薦装置に適用でき、テレビジョン番組の環境で特に有益であることが分かる。従って、テレビジョン番組への本発明の適用の限定無しに、本発明を、そのような環境で説明する。
【００２７】
図１と３を参照すると、ライフスタイル推薦装置で推薦を作成する第１の実施例を説明し、ここで、図１は、ライフスタイル推薦装置で推薦を作成する方法を示し、そして、図３は、図１の方法を実行するライフスタイル推薦装置の概略を示す。この方法は、一般的には、参照番号１００により参照され、そして装置は参照番号３００による。
【００２８】
ステップ１０２で、ユーザの明確な及び／又は暗黙の指示に基づいてユーザプロファイル発生手段３０２で、ユーザプロファイルが発生される。このような手段は従来技術で良く知られており、そして、テレビジョン番組に関する推薦を作成するフィリップス電子により製造されたＴｉＶｏ（Ｒ）のような市販の装置を含む。ステップ１０４では、テレビジョン番組についての推薦のような、推薦は、ユーザプロファイルに基づいてアイテム、サービス及び／又はイベントについて作成される。そのような推薦を作成する手段３０４も従来技術で良く知られており、そして、前述のＴｉＶｏ（Ｒ）装置も含む。
【００２９】
従来技術でなされたように、番号としてユーザへ推薦を報告する代わりに、ステップ１０６で、本発明の方法と装置は、エージェントを通してユーザへ推薦を報告する。エージェントは、好ましくは、有名人であり、前に定義したように、実際の、作り事の及び、人工であることが可能である。しかしながら、配偶者、友人又は親戚のような、非有名人も、ユーザへ推薦を報告するエージェントとして動作することが可能である。
【００３０】
好ましくは、報告ステップ１０６は、推薦を報告するスピーカ３０８に付随するオーディオを再生しながら、モニタ３０６上にビデオを表示することによりなされる。エージェントのビデオを表示することと、付随するオーディオを再生することは図１に、ステップ１０８と１１０としてそれぞれ示されている。代わりに、報告ステップ１０６は、モニタ３０６上にエージェントの静止画を表示しそして、モニタ３０６上に推薦を報告するテキストメッセージを表示するか又は、推薦を報告するスピーカ３０８に付随するオーディオを再生するかのいずれかによりなされる。エージェントの静止画を表示することと、付随するテキストメッセージを表示すること又は、付随するオーディオ報告を再生することのいずれかは、図１にステップ１１２，１１４及び、１１６としてそれぞれ示されている。テレビジョン推薦装置の場合には、モニタ３０６は、好ましくは、装置に接続されたテレビジョンモニタでありそして、スピーカ３０８はテレビジョンモニタに内蔵されている。
【００３１】
当業者は、本発明の第１の実施例の方法と装置は、従来技術の普通のそして意味のない報告方法を、有名人のようなエージェントを通してユーザの嗜好の報告で置き換えることは、理解する。人々は、コマーシャル又はトークショーで現れるような、有名人から、コンテンツの推薦を受信する慣例を有する。有名人のような、現在あるコンピュータコンテンツ推薦者は、ユーザの期待を達成する。有名人は、コンテンツであり；彼らは、自身の推薦の世界に住んでいる。推薦者を有名人にすることにより、民生電子製品は、コンテンツ配信装置から実際のコンテンツに変わる。
【００３２】
図２と３を参照すると、ライフスタイル推薦装置で推薦を作成する第２の実施例が説明され、ここで、図２は、ライフスタイル推薦装置内で推薦を作成する方法を示し、そして、図３は、図２の方法を実行するライフスタイル推薦装置を示す。この方法は、一般的には参照番号２００で参照され、装置は参照番号３００である。
【００３３】
ステップ１０２で、図１の方法でのように、ユーザプロファイル発生手段３０２で、ユーザプロファイルが発生される。ステップ２０２で、ユーザプロファイルは、実際の、作り事の、人工の、有名人プロファイルと置き換えられる。有名人プロファイルは、好ましくはステップ２０４で、データリンク３１０を介して、ＵＲＬアドレスから又は、他の外部供給源から、推薦を作成する手段３０４へ、ダウンロードされる。しかしながら、有名人プロファイルは、推薦を作成する手段３０４上で内部的に格納もされることが可能であり、そして、スクリーンメニュー又は、従来技術で知られた他の手段で、選択されることも可能である。
【００３４】
ステップ２０６で、有名人プロファイルに基づいて、テレビジョン番組についての推薦のような、アイテム、サービス及び／又はイベントについての推薦が作成される。ステップ２０８で、推薦は、ユーザが推薦を承認する可能性を反映する、ユーザへの数値グレードを報告するような、従来技術の既知の手段でユーザへなされる。
【００３５】
代わりに、ライフスタイル推薦装置は、図１に関して上述のように、ステップ１０８−１１６を通してユーザへ推薦を報告できる。特に、有名人のビデオ又は静止画は、モニタ３０８上に表示されることができ、そして、スピーカ３０８に付随するオーディオメッセージか又は、モニタ３０６上の表示されたテキストメッセージのいずれかも、有名人の推薦を報告できる。
【００３６】
当業者は、本発明の第２の実施例の方法と装置は、ユーザプロファイルに基づく推薦を、ユーザが特別の関係にある有名人プロファイルに基づく推薦と交換することは、理解する。コンピュータエージェントは、実際の有名人よりも良い関係を人々と有することができる。関係は安全であるが、しかし、個々に個人化されることが可能である。有名人はユーザについて学習しそして、相互動作に知識を反映する。有名人の中心となる個性を同じに保持することにより、本発明のコンテンツの推薦器は、多くのユーザについて共通の経験を生成しながら、個人情報を提供できる。
【００３７】
最後に、人々は有名人を信頼する。有名人のコンピュータエージェントは、同じ信頼を得ることが可能である。そして、信頼は人々が使用したい推薦装置を作る。
【００３８】
本発明の方法は、特に、コンピュータソフトウェアプログラムにより実行されるのに適しており、そのようなコンピュータソフトウェアプログラムは、好ましくは、この方法の個々のステップに対応するモジュールを有する。そのようなソフトウェアはもちろん、集積されたチップ又は、周辺装置のような、コンピュータ読み出し可能な媒体で実現される。
【００３９】
本発明の好ましい実施例と思われるものを示してそして説明したが、もちろん、形式又は詳細の種々の修正及び変更は、本発明の意図から離れることなしになされうることは、理解される。従って、本発明は、示されそして説明された正確な形式に限定されず、添付の請求項の範囲内となる全ての修正をカバーするように構成されるべきである。
【図面の簡単な説明】
【００４０】
【図１】本発明の方法の第１の実施例を示すフローチャートを示す。
【図２】本発明の方法の第２の実施例を示すフローチャートを示す。
【図３】図１と２の方法を実行するのに使用するライフスタイル推薦装置を示す。
【図１】
2004523977.tif 000003
【図２】
2004523977.tif 000004
【図３】
2004523977.tif 000005
【国際公開パンフレット】
2004523977.tif 000006
2004523977.tif 000007
2004523977.tif 000008
2004523977.tif 000009
2004523977.tif 000010
2004523977.tif 000011
2004523977.tif 000012
2004523977.tif 000013
2004523977.tif 000014
2004523977.tif 000015
2004523977.tif 000016
2004523977.tif 000017
2004523977.tif 000018
2004523977.tif 000019
2004523977.tif 000020
【国際調査報告】
2004523977.tif 000021
2004523977.tif 000022
2004523977.tif 000023